(57)【要約】【課題】チョークコイルに対して１次側ライン構造部および２次側ライン構造部を脱着可能にユニット化し、これによって、仕様変更時にも容易かつ迅速に対応でき、小形で、かつ対象機器への実装も容易となるノイズフィルタを提供する。【解決手段】このノイズフィルタは、チョークコイル７の端面両側にコンデンサを配置したノイズフィルタにおいて、コンデンサを含む１次側および２次側のライン構造部がそれぞれチョークコイル７に対して脱着可能な１次側および２次側ユニット２２，２３として構成されている。【選択図】  図１
2011205211.tif 000002
【特許請求の範囲】
【請求項１】
チョークコイルの端面両側にコンデンサを配置したノイズフィルタであって、前記コンデンサを含む１次側および２次側のライン構造部をそれぞれ前記チョークコイルに対して脱着可能な１次側および２次側ユニットとして構成したことを特徴とするノイズフィルタ。
【請求項２】
前記１次側のライン構造部はライン間コンデンサを含む脱着可能な１次側ユニットとして一体化され、前記２次側のライン構造部はライン間コンデンサとライン−グラウンド間コンデンサを含む脱着可能な２次側ユニットとして一体化されていることを特徴とする請求項１に記載のノイズフィルタ。
【請求項３】
前記チョークコイルをトロイダルコイルで構成し、前記１次側および２次側のライン構造部をそれぞれ円形状のユニットに形成し、かつ前記円形状の１次側および２次側ユニットと前記チョークコイルの保持枠とを掛止め係合部で離脱可能に係着し、前記１次側および２次側ユニットを前記チョークコイルに係着させたときに前記１次側および２次側ユニットと前記チョークコイルとの電気的接続がなされるようにしたことを特徴とする請求項１または２に記載のノイズフィルタ。
【請求項４】
前記チョークコイルおよび前記１次側および２次側ユニットを円筒ケース内に収容したことを特徴とする請求項１乃至３のいずれかに記載のノイズフィルタ。
【請求項５】
前記１次側および２次側ユニットの周部に接続端子部を形成し、前記円筒ケースを前記１次側および２次側ユニットおよび前記チョークコイルに対して回転可能に形成するとともに該ケースの周部に前記接続端子部が露出可能な開口部を形成し、前記円筒ケースの回転位置によって前記接続端子部が遮蔽されるようにしたことを特徴とする請求項４に記載のノイズフィルタ。
【請求項６】
前記１次側および２次側のライン構造部をそれぞれ角形のユニットに形成し、かつ前記角形のユニットと前記チョークコイルの保持枠とを掛止め係合部で離脱可能に係着し、前記１次側および２次側ユニットを前記チョークコイルに係着させたときに前記ライン間コンデンサおよび前記ライン−グラウンド間コンデンサと前記チョークコイルとの電気的接続がなされるようにしたことを特徴とする請求項１または２に記載のノイズフィルタ。
【発明の詳細な説明】
【技術分野】
【０００１】
本発明はノイズフィルタに関し、特に、コンデンサを内蔵した１次側，２次側のライン構造部を中央のチョークコイルに対して交換可能なユニットとして構成ノイズフィルタに関する。
【背景技術】
【０００２】
この種のノイズフィルタは一般に、チョークコイルの両側に１次側ラインと２次側ラインが引き出され、これらの１次側および２次側ラインにそれぞれライン間コンデンサ（Ｃｘコンデンサ）が設けられ、さらに２次側ラインにライン−グラウンド間コンデンサ（Ｃｙコンデンサ）が設けられている。具体的には、このようなノイズフィルタは、ライン−グラウンド間に流れるコモンモードノイズを減衰させるためのトロイダル形磁心に巻線されたコモンモードチョークコイルと、コモンモードチョークコイルで除去できないコモンモードノイズを減衰させるＣｙコンデンサと、ライン間に流れるノーマルモードノイズを減衰させるＣｘコンデンサとを備えている。
【０００３】
特許文献１では、電源ラインの相間に接続されるＣｘコンデンサと、前記電源ラインの各相とグラウンド間に接続されるＣｙコンデンサとを有するノイズフィルタにおいて、前記Ｃｙコンデンサとグラウンド間に開閉可能なスイッチ手段を設け、前記Ｃｙコンデンサの容量が大きく、Ｃｙコンデンサからの漏洩電流が大きい仕様のものでも、各国それぞれの事情（電源事情）で、例えば小さな漏洩電流しか対応しない電源環境の下で一時的に使用する場合に、前記スイッチ手段によって前記Ｃｙコンデンサとグラウンド間を切断することにより漏洩電流をなくし、漏洩遮断器が作動しないようにしている。
【０００４】
そのほか、各相の交流電源ラインから前記Ｃｘコンデンサに至る間のインピーダンスを同等に揃えるとともに、前記Ｃｙコンデンサを介した各電源ラインからグラウンドに至る配線パターンを最短になるようにした三相ノイズフィルタも開示されている（例えば特許文献２）。
【先行技術文献】
【特許文献】
【０００５】
【特許文献１】特開２００２−２５２５３５号公報
【特許文献２】特開２００５−１８４０７４号公報
【発明の概要】
【発明が解決しようとする課題】
【０００６】
従来、この種のノイズフィルタは、チョークコイルおよび１次側、２次側のライン構造部が一体に構成されてケース内に収容され、それぞれノイズフィルタごとにフィルタ定数や特性値の仕様が決まっており、使用箇所あるいは使用状況に応じて内蔵するコンデンサなどを交換して所望の定数や特性値のものを得るということができない。コンデンサやフィルタの定数や特性値を変えるためには、全体を別の仕様のノイズフィルタと取り換えなければならず、機器設計の自由度が制約されていた。
【０００７】
また、従来のノイズフィルタでは、構成部品の一部分、例えば内蔵されているＣｘコンデンサあるいはＣｙコンデンサのうちの一部分が損傷したような場合にも、ノイズフィルタ全体を分解して故障箇所を修復する必要があり、その都度新たに配線接続や組み立てが必要になるという問題があった。また、コンデンサとチョークコイルが一体に配線接続される関係から、組み立てに手数がかかり、ライン構造部の各構成部品を共通化する上でも多くの制約があった。
【０００８】
上述した特許文献２においては、チョークコイルを筒状のキャップに収容し、このキャップの片端を入力端子線の付いた基台で閉鎖するとともに、前記チョークコイルの片面側にプリント配線基板を設置し、該配線基板にＣｘコンデンサやＣｙコンデンサを搭載した構造としているが、この場合、前記Ｃｘコンデンサおよび前記Ｃｙコンデンサの各リード線を、配線基板に形成した導体パターンのメッキスルーホール接続部に半田接続している。そして、チョークコイルの端子線も前記配線基板にスルーホールを介して半田接続する構成であり、前記ＣｘコンデンサやＣｙコンデンサを搭載した配線基板を前記チョークコイルに対して簡単に脱着するようにはなっておらず、仕様変更に際しては前記チョークコイルも含めて全体を新たなノイズフィルタと交換しなければならない。
【０００９】
本発明は、上述した問題点を解決し、チョークコイルに対して１次側ライン構造部および２次側ライン構造部を脱着可能にユニット化し、これによって、仕様変更時にも容易かつ迅速に対応し得るようにしたノイズフィルタを提供することを目的とするものである。
【００１０】
本発明はまた、チョークコイルと１次側および２次側ライン構造部をコンパクトに組み付けることができ、小形で、かつ対象機器への実装も容易となるノイズフィルタを提供することにある。
【００１１】
本発明はさらに、接続端子部を外殻の円筒状のケースで開閉可能に覆うことができるようにして端子部の保護を図ったノイズフィルタを提供することにある。
【課題を解決するための手段】
【００１２】
本発明によれば、チョークコイルの端面両側にコンデンサを配置したノイズフィルタであって、前記コンデンサを含む１次側および２次側のライン構造部をそれぞれ前記チョークコイルに対して脱着可能な１次側および２次側ユニットとして構成したノイズフィルタが提供される。
【００１３】
本発明の１つの実施形態では、前記１次側のライン構造部はライン間コンデンサ（Ｃｘコンデンサ）を含む脱着可能な１次側ユニットとして一体化され、前記２次側のライン構造部はライン間コンデンサとライン−グラウンド間コンデンサ（Ｃｙコンデンサ）を含む脱着可能な２次側ユニットとして一体化されていることを特徴とする。
【００１４】
本発明の他の実施形態では、前記チョークコイルをトロイダルコイルで構成し、前記１次側および２次側のライン構造部をそれぞれ円形状のユニットに形成し、かつ前記円形状のユニットと前記チョークコイルの保持枠とを掛止め係合部で離脱可能に係着し、前記１次側および２次側ユニットを前記チョークコイルに係着させたときに前記１次側および２次側ユニットと前記チョークコイルとの電気的接続がなされるようにしたことを特徴とする。
【００１５】
本発明のさらに他の実施形態では、前記チョークコイルおよび前記１次側および２次側ユニットを円筒ケース内に収容したことを特徴とする。
【００１６】
本発明のさらに他の実施形態では、前記１次側および２次側ユニットの周部に接続端子部を形成し、前記円筒ケースを前記１次側および２次側ユニットおよび前記チョークコイルに対して回転可能に形成するとともに該ケースの周部に前記接続端子部が露出可能な開口部を形成し、前記円筒ケースの回転位置によって前記接続端子部が遮蔽されるようにしたことを特徴とする。
【００１７】
本発明のさらに他の実施形態では、前記１次側および２次側のライン構造部をそれぞれ角形のユニットに形成し、かつ前記角形のユニットと前記チョークコイルの保持枠とを掛止め係合部で離脱可能に係着し、前記１次側および２次側ユニットを前記チョークコイルに係着させたときに前記１次側および２次側ユニットと前記チョークコイルとの電気的接続がなされるようにしたことを特徴とする。
【発明の効果】
【００１８】
本発明に係るノイズフィルタは、１次側，２次側のライン構造部がユニット化されているため、フィルタ定数などの仕様変更時にもチョークコイルに対して簡単に交換することで対応でき、また、全体がコンパクトになり、小形化が達成できる。
【図面の簡単な説明】
【００１９】
【図１】本発明の実施例１によるノイズフィルタの斜視図である。
【図２】本発明に係るノイズフィルタの１次側ユニットの斜視図である。
【図３】図２に示す１次側ユニットの平面図（Ａ）および側面図（Ｂ）である。
【図４】本発明の実施例１によるノイズフィルタの２次側ユニットの斜視図である。
【図５】図４に示す２次側ユニットの平面図（Ａ）および側面図（Ｂ）である。
【図６】本発明の実施例２による円柱状ノイズフィルタの外観斜視図である。
【図７】本発明の実施例２に係るノイズフィルタの各種取付例を示す図である。
【図８】本発明の実施例１に係るノイズフィルタを組み込んだマイクロフォンの一部分裁断した側面図である。
【図９】本発明の実施例１に係るノイズフィルタの三相回路を示す図である。
【図１０】本発明の実施例１に係るノイズフィルタの三相回路の変形例を示す図である。
【図１１】本発明の実施例１に係るノイズフィルタの単相回路を示す図である。
【発明を実施するための最良の形態】
【００２０】
次に、本発明の各種の実施例について図面を参照しつつ説明する。
【実施例１】
【００２１】
次に、本発明の各種の実施例について図面を参照しつつ説明する。本発明に係るノイズフィルタは三相回路または単相回路として構成される。まず本発明が適用される三相回路について説明すれば、図９において、三相式のノイズフィルタは１次側ライン構造部１０，２次側ライン構造部１１にそれぞれ３端子部１〜６およびアース端子を有している。本発明の実施例１ではチョークコイルとしてトロイダルコイルが使用され、トロイダル形の磁心に巻線してライン−グラウンド間に流れるコモンモードノイズを減衰させるトロイダルコイル７と、ライン間に流れるノーマルモードノイズを減衰させるべく１次側と２次側の各ライン間にそれぞれ接続されるＣｘコンデンサ１２，１３と、コモンモードノイズを減衰させる２次側の各ラインとグラウンドＧ間に接続されるＣｙコンデンサ１４と、１次側の各ライン間に接続されるコンデンサ放電用のブリーダ抵抗１５とを有している。なお、グラウンドからのノイズの侵入を抑制するアースインダクタなどを備えてもよい。
【００２２】
図９に示す三相回路の変形例として、図１０に示すように、容量の大きいＣｙコンデンサと容量の小さいＣｙコンデンサを組にして並列に接続し、３組のＹコンデンサ１６としてライン−グラウンド間に配置している。その他の構成は図９と同様である。
【００２３】
なお、本発明では上述した三相回路のノイズフィルタのみでなく、図１１に示すような単相回路として構成してもよい。図１１に示す実施例の単相回路の場合も基本的には三相回路と同様であり、前記トロイダルコイルの１次側に２端子部１７，１８、１次側ライン間に配置されるＣｘコンデンサ１２、ブリーダ抵抗１５、および２次側の２端子部１９，２０、２次側ライン間に配置されるＣｘコンデンサ１２、グラウンドＧと２次側各ライン間に設けられるＣｙコンデンサ１４を備えている。
【００２４】
１次側ユニット
次に、図１〜図３を参照して１次側ライン構造部となる１次側ユニットについて説明する。
図１は本発明の実施例１によるノイズフィルタの斜視図であり、後述する２次側ユニットの外端面側からみたものである。また、図２は１次側ユニット２２の斜視図であり、その裏面側、つまりトロイダルコイル７（図１）に対面する側からみた状態を示している。図３は図２に示す１次側ユニットの平面図および側面図である。なお、図３の（Ａ）は１次側ユニット２２の外端面からみた平面図、図３（Ｂ）は図３（Ａ）の矢視Ｆからみた側面図である。これらの図を参照すれば、ノイズフィルタの１次側ライン構造部はトロイダルコイル７に対して脱着可能にユニット化された構造となっている。この１次側ユニット２２は、外面に露出する１次側端板３１の裏面（コイル側）の周囲に、３個の円弧状側部をもつ側柱３２が形成され、各円弧状側部の頂部には、トロイダルコイル７の保持枠５３と脱着可能に係合する係合孔３９が形成されている。この係合孔と対向する保持枠５３の係合部と係合し、または、係合孔３９をねじ止めする等の手法により保持枠５３と側柱３２は脱着可能に固定されるようになっている。１次側ユニット２２の中心部には、トロイダルコイル７の磁心に接する中心支柱３３が形成されている。３４は中心支柱３３に形成された放熱孔である。
【００２５】
隣接した側柱同士の間に３個の導体板３５が設けられ、この導体板３５の外側部にそれぞれトロイダルコイル７に接続されるコイル端子ねじ３６および１次側導線ラインに接続されるライン端子ねじ３７が設けられている。また、円周方向に隣接した３個の導体板３５の間に３個の抵抗素子３８および３個のＣｘコンデンサ４０が配置されている。図示のように、コイル端子ねじ３６およびライン端子ねじ３７は各側柱３２の間から外周側に露出している。このように抵抗３８およびＣｘコンデンサ４０を有してユニット化された１次側ユニット２２は抵抗素子３８およびＣｘコンデンサ４０でもたらされるフィルタ定数およびフィルタ特性値の異なる仕様のものが複数個用意されるが、いずれの仕様のものも３個の側柱３２で構成される１次側ユニット２２の外径（および端板外形）、軸線方向の幅厚みＬ（図３）、は同一に形成される。
【００２６】
トロイダルコイル７は図１に示すように保持枠５３に保持されており、その端面は１次側ユニット２２の中心支柱３３と嵌合するようになっている。また、トロイダルコイルの片側の引出線は保持枠５３に設けられた導体板に接続されている。この構成により、１次側ユニット２２はトロイダルコイルの端面に係合部によって簡単に掛止めすることができ、ユニット側の導体板３５とコイル側の導体板との接触により、掛止めと同時にコイル７と１次側ユニット２２との電気的接続が、半田付けなどを必要とせずに、自動的になされる。
【００２７】
２次側ユニット
次に、２次側ライン構造部となる２次側ユニットの構成を図４および図５を参照して説明する。図４は本発明の実施例１によるノイズフィルタの２次側ユニット２３の斜視図であり、図２と同様にその裏面側、つまりトロイダルコイルに対面する側からみた状態を示している。図５は図４に示す２次側ユニット２３の平面図および側面図である。なお、図５（Ａ）は２次側ユニット２３の外端面からみた平面図であり、図５（Ｂ）は図５（Ａ）の矢視Ｅからみた側面図である。前記１次側ユニット２２と同様に、２次側ユニット２３もトロイダルコイル７（図１）に対して脱着可能にユニット化された構造となっている。２次側ユニット２３は、ノイズフィルタの外面に露出する２次側端板４１の裏面（コイル側）の周囲に、３個の円弧状側部をもつ側柱３２が形成され、各円弧状側部の頂部には、トロイダルコイル７を保持する保持枠５３と脱着可能に係合する係合孔３９が形成されている。この係合孔３９と対向する保持枠５３の係合部と係合し、または、係合孔３９をねじ止めする等の手法により側柱３２と保持枠５３とは、脱着可能に係合するようになっている。さらに中心部には、トロイダルコイル７の磁心端面と接する中心支柱３３が形成されている。４２は中心支柱３３に形成された放熱孔である。
【００２８】
隣接した側柱３２同士の間に３個の導体板３５が設けられ、この導体板３５の外側部にそれぞれトロイダルコイル７に接続されるコイル端子ねじ３６および２次側導線ラインに接続されるライン端子ねじ３７が設けられている。また、この円周方向に隣接した３個の導体板３５の間に３個のＣｘコンデンサ４０および３組のＣｙコンデンサ４３が配置されている。なお、この実施例は図１０の回路図に示すノイズフィルタに対する例であり、Ｃｙコンデンサ４３は各組２個の並列接続したコンデンサを３組接続して構成されているが、図９の回路図に係るノイズフィルタとして構成する場合は全体で３個のＣｙコンデンサが設けられる。また、２次側ユニット２３の端板４１の外面にはグラウンドに接続するアース端子板４４が設けられ、その中心にはアース導線をつなぐアース端子ねじ４５（図１，図５）が設けられている。
【００２９】
図示のように、コイル端子ねじ３６およびライン端子ねじ３７は各側柱３２の間から外周側に露出している。このように２次側ライン構造部をユニット化した２次側ユニット２３は、１次側ユニット２２のユニットと同様に、Ｃｘコンデンサ４０およびＣｙコンデンサ４３でもたらされるフィルタ定数およびフィルタ特性値の異なる仕様のものが複数個用意されるが、いずれの仕様のものも３個の側柱３２で構成され１次側ユニットの外径（および端板外形）、軸線方向の幅厚みＨと同一に形成されている。
【００３０】
トロイダルコイル７は図１に示すように保持枠５３に保持されており、その端面には２次側ユニット２３の中心支柱３３の係合部３４と嵌合するコイル側係合部が形成されている。また、２次側ユニット２３に対面するトロイダルコイルの片側の引出線は保持枠５３に設けられた導体板に接続されている。この構成により、２次側ユニット２３はトロイダルコイルの端面に係合部によって簡単に掛止めすることができ、ユニット側の導体板３５とコイル側の導体板との接触により、掛止めと同時にコイル７と２次側ユニット２３との電気的接続が、半田付けなどを必要とせずに、自動的になされる。この関係は１次側ユニットの場合と同様である。
【００３１】
本発明に係るノイズフィルタは、１次側、２次側のライン構造部をユニット化することで、フィルタの定数や特性値の仕様変更があっても、１次側ユニット２２や２次側ユニット２３の交換によって容易に対応が可能である。例えば、使用する電源環境下で、１次側および２次側のＣｘコンデンサの容量をそれぞれ３．３μＦ、２次側のＣｙコンデンサの容量を１．５μＦで使用している通常の状態から、電源まわりの大ノイズを除去する必要性が生じて、１次側のＣｘコンデンサの容量を２．２μＦ、２次側のＣｘコンデンサの容量を０．２２μＦ、２次側のＣｙコンデンサの容量０．２２μＦとする仕様変更があったとき、これに対応する種類のコンデンサを採用した１次側、２次側ユニットと交換することで迅速に対応できる。
また、逆に、例えば微少ノイズを除去するために１次側、２次側のＣｘコンデンサを２．２μＦ、２次側のＣｙコンデンサを３３００ｐＦにする必要があったような場合にも、これに対応したセラミックコンデンサを用いた１次側、２次側ユニットと交換することで、ノイズフィルタ全体を取り換えることなく、容易かつ迅速に対応できる。また、例えば２次側のＣｙコンデンサの容量を０．４７μＦ、１次側、２次側のＣｘコンデンサの容量を２．２μＦの特性をもつユニット、そのほか種々の特性値のユニットを用意しておくだけで電源環境の変更にも容易に対処できる。1次側、２次側の組み合わせの実施例を表１に示す。
【００３２】
【表１】
2011205211.tif 000003
【００３３】
図８は本発明の実施例１に係る円筒状のノイズフィルタの適用例を示した図である。この例では手持ち式のマイクロフォン５０の筒状掴み部５１に円筒状のノイズフィルタ５２を内蔵したものであり、筒状掴み部５１自体がノイズフィルタ５２の円筒状ケースを兼ねるため、ノイズフィルタ５２はトロイダルコイルと１次側，２次側ユニットを一体にした図１のような状態で直接マイクロフォン５０の筒状掴み部５１内に収容される。このほかの例として、例えば電動ドライバや半田ごての把持部内に円筒状のノイズフィルタを収容することもでき、この種の手持ち式のコンパクトな機器にも無駄なスペースを生じることなく内蔵させることができる。
【００３４】
既に述べたように、本発明に係るノイズフィルタの回路は、上述の実施例１のように図９または図１０に示す三相回路で構成した場合だけでなく、図１１に示すような単相回路の場合にも同様に１次側，２次側のライン構造部は円形状のユニットに構成され、対応する回路構成によってＣｘコンデンサ、Ｃｙコンデンサ、ブリーダ抵抗やアースインダクタなどが前記側柱や端板を利用して取り付けられる。
【実施例２】
【００３５】
図６は本発明の実施例２に係る円柱状ノイズフィルタの外観斜視図であり、同図（Ａ）は接続端子部を露呈した状態、同図（Ｂ）は接続端子部をケース内に遮蔽した状態を示している。この実施例２ではトロイダルコイルの両端側に設けられる１次側，２次側ユニット２２，２３がトロイダルコイルを含めて円筒形の絶縁ケース２５内に収容されている。１次側，２次側のユニットとも３つの端子部２６，２７は円形状の外周部に周方向等間隔（６０°間隔）で形成されている。また、円筒形のケース２５はその両端部にそれぞれ１次側および２次側ユニットの各端子部に対応するように切欠き状の開口部２８が形成されている。このケース２５は内部構造物、つまりトロイダルコイルおよび両側の１次側、２次側ユニットに対して周方向に或る程度の摩擦力で回転可能となっており、したがって、ケース２５を回転させることによってライン構造部周囲の接続端子部の端子ねじ２９をケース周面で閉塞、あるいは露出させ得る。端子ねじ２９をケース２５で閉塞した状態で外部との接続線は各ユニットの外端面から引き出される。
【００３６】
円筒状の絶縁ケース２５を有する実施例２のノイズフィルタは、電子・電気機器内の円筒状スペースに直接収容することができるが、円筒状のケース２５の部分を利用して任意の外部機器や外部の取付台にも容易に取り付けることが可能である。図７（Ａ）は吊下げ式の取付例であり、円筒状ケース２５の周部に帯材４６を巻き付け、この帯材４６を吊下げロッド４７に連結して外部機器の外面に吊り下げることができる。図７（Ｂ）はケースの周部に締め付けた帯材４６を取付台あるいは取付座に固着した例である。ケース２５に対して内部のライン構造部およびトロイダルコイル側を回転させることにより、接続端子部の開閉が可能である。
【実施例３】
【００３７】
上述の各実施例ではチョークコイルおよび１次側、２次側ユニットとも円形状の形態としたが、本発明は必ずしもこのような円形状のものに限定されず、全体の外形を角形に形成することも可能である。この場合も角形の１次側、２次側のライン構造部は前記チョークコイルに対し脱着可能なユニットとして構成され、かつこの１次側、２次側ユニットを前記チョークコイルにワンタッチで掛止め係合できるように構成される。各ユニットを前記チョークコイルに係着させたとき、前記チョークコイルと前記１次側、２次側ユニットは同時に、かつ自動的に電気的接続がなされるようになっている。これによって、仕様変更の際は、前記チョークコイルに対して１次側および（または）２次側ユニットを他の仕様のものと交換して簡単かつ迅速に対応することができる。
【００３８】
本発明によるノイズフィルタはライン構造部をユニット化することで、仕様変更に対応できるだけでなく、全体が小形化され、これによって例えば工場の電力コントロール室のような大型設備では、内部の複雑な電気装置、電気配線が入っているが、このような内部装置の間に互いにノイズの影響を及ばせたくない時に、本発明に係るノイズフィルタは大きなスペースを取らずに、簡単に配線ケーブルの中継ぎとして、機器内部に分散配置することができる。そのほか、本発明に係るノイズフィルタは、薄型テレビ、インバータ蛍光灯などのフレーム部分、あるいは車載装置などにも無駄なスペースを生じることなく内蔵することが可能となる。
【符号の説明】
【００３９】
７  トロイダルコイル
１０，２２  １次側ライン構造部
１１，２３  ２次側ライン構造部
１２，１３，４０  Ｃｘコンデンサ
１４，１６，４３  Ｃｙコンデンサ
１５  ブリーダ抵抗
１７，１８，１９，２０端子部
２５  円筒形の絶縁ケース
２６  端子部
２７  端子部
２９  端子ねじ
３１  端板
３２  側柱
３３  中心支柱
３４  係合部
３５  導体板
３６  コイル端子ねじ
３７  ライン端子ねじ
３８  抵抗素子
３９  係合孔
４０  Ｃｘコンデンサ
４１  端板
４２  放熱孔
４３  Ｃｙコンデンサ
４４  アース端子板
４５  アース端子ねじ
４６  帯材
４７  ロッド
５０  マイクロフォン
５１  筒状掴み部
５２  ノイズフィルタ
５３  保持枠
６０  ノイズフィルタ
【図１】
2011205211.tif 000004
【図２】
2011205211.tif 000005
【図３】
2011205211.tif 000006
【図４】
2011205211.tif 000007
【図５】
2011205211.tif 000008
【図６】
2011205211.tif 000009
【図７】
2011205211.tif 000010
【図８】
2011205211.tif 000011
【図９】
2011205211.tif 000012
【図１０】
2011205211.tif 000013
【図１１】
2011205211.tif 000014